(57)【要約】【課題】デザイン性が向上する歯ブラシを提供する。【解決手段】歯ブラシ１はグリップ２０と、グリップ２０に印刷された印刷層６０とを備える。印刷層６０はグリップ２０の側部、グリップ２０の正面２０Ａのうちの端を含む所定範囲、および、グリップ２０の背面２０Ｂのうちの端を含む所定範囲の少なくとも１つに印刷された側部印刷層６２を含む。【選択図】図３
2020000709.tif 000002
【特許請求の範囲】
【請求項１】
グリップと、
前記グリップに印刷された印刷層とを備える歯ブラシであって、
前記印刷層は前記グリップの側部、前記グリップの正面のうちの端を含む所定範囲、および、前記グリップの背面のうちの端を含む所定範囲の少なくとも１つに印刷された側部印刷層を含む
歯ブラシ。
【請求項２】
前記グリップの側面は曲面を含み、
前記側部印刷層は前記曲面に印刷された部分を含む
請求項１に記載の歯ブラシ。
【請求項３】
前記側部印刷層は前記グリップの周方向において前記グリップの正面または背面から前記グリップの厚さ方向の中心に近づくにつれて印刷が薄くなるグラデーションを含む
請求項２に記載の歯ブラシ。
【請求項４】
前記側部印刷層は前記グリップの正面のうちの端を含む所定範囲、および、前記グリップの背面のうちの端を含む所定範囲の少なくとも一方に印刷された部分を含み、前記グリップの幅方向において前記端に近づくにつれて印刷が薄くなるグラデーションを含む
請求項１〜３のいずれか一項に記載の歯ブラシ。
【請求項５】
前記印刷層は前記グリップの正面および背面の少なくとも一方に印刷され、前記グラデーションを含まない主面印刷層をさらに含み、
前記側部印刷層における単位面積あたりの平均インク量は前記主面印刷層における単位面積あたりの平均インク量よりも少ない
請求項３または４に記載の歯ブラシ。
【請求項６】
前記主面印刷層における単位面積あたりの平均インク量に対する前記側部印刷層における単位面積あたりの平均インク量の割合は３０％〜７０％の範囲に含まれる
請求項５に記載の歯ブラシ。
【発明の詳細な説明】
【技術分野】
【０００１】
本発明は印刷層を備える歯ブラシに関する。
【背景技術】
【０００２】
グリップに印刷層が設けられる歯ブラシが知られている。例えば、特許文献１は柄の背面に設けられる印刷部(１００)を備える歯ブラシ(１０)を開示している。
【先行技術文献】
【特許文献】
【０００３】
【特許文献１】特許第５９７８４５０号
【発明の概要】
【発明が解決しようとする課題】
【０００４】
特許文献１では、歯ブラシ(１０)のデザイン性を向上させる点については特に言及していない。
【課題を解決するための手段】
【０００５】
(１)本発明に関する歯ブラシはグリップと、前記グリップに印刷された印刷層とを備える歯ブラシであって、前記印刷層は前記グリップの側部、前記グリップの正面のうちの端を含む所定範囲、および、前記グリップの背面のうちの端を含む所定範囲の少なくとも１つに印刷された側部印刷層を含む。
上記歯ブラシによれば、グリップのうちのより広い範囲に印刷層が設けられるため、歯ブラシのデザイン性が向上する。
【０００６】
(２)好ましい例では(１)に記載の歯ブラシにおいて、前記グリップの側部の表面は曲面を含み、前記側部印刷層は前記曲面に印刷された部分を含む。
このため、側部が曲面を含む歯ブラシを側方から見た場合のデザイン性が向上する。
【０００７】
(３)好ましい例では(２)に記載の歯ブラシにおいて、前記側部印刷層は前記グリップの周方向において前記グリップの正面または背面から前記グリップの厚さ方向の中心に近づくにつれて印刷が薄くなるグラデーションを含む。
このため、歯ブラシを側方から見た場合のデザイン性が一層向上する。
【０００８】
(４)好ましい例では(１)〜(３)のいずれか一項に記載の歯ブラシにおいて、前記側部印刷層は前記グリップの正面のうちの端を含む所定範囲、および、前記グリップの背面のうちの端を含む所定範囲の少なくとも一方に印刷された部分を含み、前記グリップの幅方向において前記端に近づくにつれて印刷が薄くなるグラデーションを含む。
このため、歯ブラシを正面または背面から見た場合のデザイン性が向上する。
【０００９】
(５)好ましい例では(３)または(４)に記載の歯ブラシにおいて、前記印刷層は前記グリップの正面および背面の少なくとも一方に印刷され、前記グラデーションを含まない主面印刷層をさらに含み、前記側部印刷層における単位面積あたりの平均インク量は前記主面印刷層における単位面積あたりの平均インク量よりも少ない。
歯ブラシのグリップに印刷層を設ける場合、インクジェットプリンタのインクの噴射口と面する位置にグリップの正面または背面が位置するように印刷層が設けられる前の歯ブラシがセットされる。インクジェットプリンタの噴射口からグリップの正面または背面、および、側面にインクが噴射され、グリップに印刷層が設けられる。グリップの正面および背面は平坦面、または、側面よりも曲率の小さい曲面であるため、噴射口との距離が実質的に一定である。このため、グリップの正面および背面はインクジェットプリンタの噴射口から噴射されたインクの着弾ずれが生じにくい。ただし、グリップの正面および背面が端を含む場合、端に着弾したインクが飛散する。このため、印刷層のうちの端を含む所定範囲の色ムラが目立ちやすくなる。さらには、飛散したインクが歯ブラシのうちの印刷層が設けられる部分以外の部分、および、歯ブラシの周囲に付着するおそれがある。また、グリップの側面はグリップの正面および背面よりも曲率の大きい曲面であるため、側面の位置によってインクジェットプリンタの噴射口との距離が大きく異なる。このため、グリップの側面はインクの着弾ずれが生じやすく、それにともない印刷層の色ムラが目立ちやすい。
上記歯ブラシでは、側部印刷層における単位面積あたりの平均インク量を上記のように設定しているため、例えば、側面においてインクの着弾ずれが生じた場合であっても、そのずれを目立ちにくくできる。このため、グリップの側面に側部印刷層を設ける場合であっても、側部印刷層の色ムラが目立ちにくい。また、グリップのうちの端を含む所定範囲に印刷層を設ける場合であっても、端に着弾したインクが大きく飛散しにくい、または、飛散しないため、所定範囲の色ムラが目立ちにくい。さらには、歯ブラシのうちの印刷層が設けられる部分以外の部分、および、歯ブラシの周囲にインクが付着することも抑制できる。
【００１０】
(６)好ましい例では(５)に記載の歯ブラシにおいて、前記主面印刷層における単位面積あたりの平均インク量に対する前記側部印刷層における単位面積あたりの平均インク量の割合は３０％〜７０％の範囲に含まれる。
印刷層の平均インク量の割合が上記の範囲に含まれる場合、側部印刷層の色ムラが目立ちにくいことが確認された。
【発明の効果】
【００１１】
本発明に関する歯ブラシによれば、歯ブラシのデザイン性が向上する。
【図面の簡単な説明】
【００１２】
【図１】実施形態の歯ブラシの正面図。
【図２】図１の歯ブラシの背面図。
【図３】図１の歯ブラシの側面図。
【図４】図１の歯ブラシの印刷層の断面図。
【図５】図１の歯ブラシの底面図。
【図６】変形例の歯ブラシのグリップの断面図。
【図７】変形例の歯ブラシのグリップの断面図。
【発明を実施するための形態】
【００１３】
(実施形態)
図１〜図３に示される歯ブラシ１は側方から見た場合のデザイン性が向上するように構成された歯ブラシの一例である。歯ブラシ１を構成する主な要素は本体１０およびブラシ５０である。ブラシ５０は多数のフィラメント束１００の集合体である。
【００１４】
本体１０を構成する材料は任意に選択できる。好ましい例では、本体１０は軽量である材料によって構成される。その一例は、金属、木、および、合成樹脂などである。ただし、エラストマは本体１０のうちの印刷層６０が設けられる部分の耐久性が乏しくなるため、好ましくない。好ましい例では、本体１０は意匠性に優れる透明材料によって構成される。透明材料の一例はポリエチレンテレフタレートなどのポリエステル系樹脂、アクリロニトリルスチレン共重合体、アクリロニトリルブタジエンスチレン共重合体、メチルメタクリレートブタジエンスチレン共重合体などのスチレン系樹脂、および、ポリカーボネート樹脂である。本体１０は例えば射出成形により製造される。図３に示される二点鎖線は射出成形に用いられる金型のパーティングラインＰＬである。
【００１５】
本体１０の全体的な形状は手で握ることに適した細長い棒のような形状である。以下の説明では、歯ブラシ１の正面視(図１参照)において歯ブラシ１の長手方向と直交する断面におけるフィラメント束１００と平行な方向を歯ブラシ１の厚さ方向ＨＡ(図５参照)と称し、厚さ方向と直交する断面上の方向を幅方向ＨＢ(図５参照)と称する。また、以下に示される歯ブラシ１の各部分の断面は歯ブラシ１の厚さ方向に沿う断面である。
【００１６】
本体１０はグリップ２０、ネック３０、および、ヘッド４０に区分される。グリップ２０はブラッシング時に手で握るための部分である。ネック３０はヘッド４０とグリップ２０との間に形成された細い部分である。ネック３０の断面形状の一例は扁平形状、円柱形状、または、多角柱形状である。ヘッド４０には歯をブラッシングするため複数のフィラメント１００Ａからなるフィラメント束１００が植えられている。フィラメント１００Ａは歯からプラーク等を除去することに適した材質および形状を備えている。各フィラメント１００Ａを構成する材料の一例はナイロンおよびアラミド等のポリアミド樹脂、ポリブチレンテレフタレート、ポリプロピレンテレフタレート、ポリトリメチレンテレフタレート、ポリエチレンテレフタレート等のポリエステル樹脂、ならびに、ポリプロピレンやポリエチレン等のポリオレフィン樹脂である。各フィラメント１００Ａの毛先の形状は任に選択できる。その一例はフラット、ラウンド、テーパード、先端極細加工、球状先端加工、または、先端分岐加工である。フィラメント束１００により構成されるブラシ５０の形状の一例は直線、山折り型、凹型、凸型、傾斜型、および、ワンタフト型である。
【００１７】
グリップ２０の断面形状の一例は楕円形、円形、ラクビーボール形、多角形、および、俵型形である。グリップ２０の表面は歯ブラシ１に対する視点に応じて正面２０Ａ、背面２０Ｂ、および、各側面２０Ｃに区分できる。正面２０Ａは歯ブラシ１の正面視(図１参照)に表れるグリップ２０の表面である。背面２０Ｂは歯ブラシ１の背面視(図２参照)に表れるグリップ２０の表面である。各側面２０Ｃは歯ブラシ１の各側面視(図３参照)に表れるグリップ２０の表面である。なお、正面２０Ａおよび各側面２０Ｃはグリップ２０の形状により一部に重複した部分を含むことがある。また、背面２０Ｂおよび各側面２０Ｃも同様である。図１等に例示された歯ブラシ１では、正面２０Ａおよび各側面２０Ｃ、ならびに、背面２０Ｂおよび各側面２０Ｃがそれぞれ一部に重複した部分を含む。正面２０Ａおよび背面２０Ｂは平坦面、または、実質的に平坦面であるとみなせる程度に十分に曲率が小さい曲面である。各側面２０Ｃは正面２０Ａおよび背面２０Ｂよりも曲率が大きい曲面である。
【００１８】
グリップ２０には歯ブラシ１のデザイン性を向上させるための印刷層６０が設けられている。印刷層６０は主面印刷層６１および側部印刷層６２を備える。主面印刷層６１はグリップ２０の正面２０Ａおよび背面２０Ｂの少なくとも一方に印刷される。好ましい例では、図１等に示されるように、主面印刷層６１はグリップ２０の背面２０Ｂに印刷される。このため、歯ブラシ１の製造過程において、ブラシ５０にインクが付着しにくい。別の例では、主面印刷層６１はグリップ２０の正面２０Ａ、または、グリップ２０の正面２０Ａおよび背面２０Ｂに印刷される。側部印刷層６２はグリップ２０の側部に印刷される。一例では、側部印刷層６２はグリップ２０の側面２０Ｃに印刷される。
【００１９】
印刷層６０の層構成は任意に選択できる。図４に示される第１例では、印刷層６０は最内層６０Ａ、中間層６０Ｂ、および、最外層６０Ｃの３層が積層された積層構造を備える。第２例では、印刷層６０は１層のみである。第３例では、印刷層６０は２層または４層以上が積層された積層構造を備える。印刷層６０は全体的に同じ積層構造であってもよく、部分的に積層構造が異なっていてもよい。
【００２０】
最内層６０Ａはグリップ２０の正面側から視認されるデザインを形成する。最内層６０Ａが形成するデザインの一例は模様、文字、または、キャラクターである。最内層６０Ａはグリップ２０の背面２０Ｂのうちの任意の範囲に部分的、または、全体的に印刷される。最内層６０Ａを構成する材料は１または複数の任意の色のインクである。一例では、最内層６０Ａを構成するインクの色は白以外の色である。
【００２１】
中間層６０Ｂは最内層６０Ａにより形成されるデザインがグリップ２０の背面側から視認できないように最内層６０Ａを遮蔽する。中間層６０Ｂを構成する材料は１または複数の任意の色のインクである。一例では、中間層６０Ｂを構成するインクの色は白または金である。中間層６０Ｂは最内層６０Ａの全体を覆うように印刷される。
【００２２】
最外層６０Ｃはグリップ２０の背面側から視認されるデザインを形成する。最外層６０Ｃが形成するデザインの一例は模様、文字、または、キャラクターである。最外層６０Ｃは中間層６０Ｂのうちの任意の範囲に部分的、または、全体的に印刷される。最外層６０Ｃを構成する材料は１または複数の任意の色のインクである。一例では、最外層６０Ｃを構成するインクの色は白以外の色である。
【００２３】
歯ブラシ１の製造においては、本体１０にブラシ５０が設けられた歯ブラシ(以下「中間歯ブラシ」という)が製造され、中間歯ブラシのグリップ２０にインクジェットプリンタによって印刷層６０が印刷される。歯ブラシ１の製造に用いられるインクジェットプリンタは、例えば、株式会社ミマキエンジニアリング社製のＵＪＦ−３０４２ＭｋＩＩである。
【００２４】
中間歯ブラシに印刷層６０を印刷する工程においては、グリップ２０の背面２０Ｂがインクジェットプリンタのインクの噴射口と対向するように中間歯ブラシがインクジェットプリンタにセットされる。インクジェットプリンタの噴射口からグリップ２０の背面２０Ｂおよび側面２０Ｃにインクが噴射され、グリップ２０に印刷層６０が設けられる。グリップの背面２０Ｂは平坦面、または、側面２０Ｃよりも曲率の小さい曲面であるため、噴射口との距離が実質的に一定である。このため、グリップ２０の背面２０Ｂはインクジェットプリンタの噴射口から噴射されたインクの着弾ずれが生じにくい。一方、グリップ２０の側面２０Ｃはグリップ２０の正面２０Ａおよび背面２０Ｂよりも曲率が大きい曲面であるため、側面２０Ｃの位置によって、インクジェットプリンタの噴射口との距離が大きく異なる。このため、側面２０Ｃはインクの着弾ずれが生じやすい。このため、グリップ２０の側面２０Ｃを含む所定範囲ＲＡ(図５参照)に印刷層６０が設けられる場合、印刷層６０に色ムラが発生しやすい。所定範囲ＲＡは幅方向ＨＢにおける側面２０Ｃの端部、すなわち、パーティングラインＰＬを含む部分から所定範囲である。所定範囲ＲＡの一例はインクジェットプリンタのノズル方向から見て、パーティングラインＰＬから０．５ｍｍ〜４．０ｍｍ離れたグリップ２０の範囲である。好ましい例では、所定範囲ＲＡはパーティングラインＰＬから０．５〜２.０ｍｍ離れたグリップ２０の範囲である。さらに好ましい例では、所定範囲ＲＡはパーティングラインＰＬから１.０〜２.０ｍｍ離れたグリップ２０の範囲である。なお、図５では図面の簡略化のため、印刷層６０を構成する各層６０Ａ、６０Ｂ、６０Ｃの図示を省略している。
【００２５】
歯ブラシ１ではこのような所定範囲ＲＡにおける印刷層６０の色ムラを目立ちにくくするために、側部印刷層６２はグリップ２０の周方向においてグリップ２０の正面２０Ａまたは背面２０Ｂからグリップ２０の厚さ方向ＨＡの中心に近づくにつれて印刷が薄くなるグラデーションを含むように構成されている。一例では、側部印刷層６２の全体がグラデーションである。側部印刷層６２における単位面積あたりの平均インク量は主面印刷層６１における単位面積あたりの平均インク量よりも少ない。好ましい例では、主面印刷層６１における単位面積あたりの平均インク量に対する側部印刷層６２における単位面積あたりの平均インク量の割合は０〜１００％の範囲において、厚さ方向ＨＡの中心に近づくにつれて漸減される。好ましい例では、主面印刷層６１における単位面積あたりの平均インク量に対する側部印刷層６２における単位面積あたりの平均インク量の割合は３０％〜７０％の範囲に含まれる。なお、平均インク量はインクに含まれる溶剤が概ね揮発した状態における印刷層６０に含まれるインクの量である。印刷層６０に関する平均インク量がこのように設定されているため、側面２０Ｃにも好適に印刷層６０を印刷できる。歯ブラシ１のより広い範囲に印刷層６０を設けることができるため、歯ブラシ１のデザイン性が一層向上する。
【００２６】
歯ブラシ１によれば次の効果が得られる。
側部印刷層６２が形成されるため、歯ブラシ１のデザイン性が向上する。
【００２７】
(変形例)
上記実施形態は本発明に関する歯ブラシが取り得る形態の例示であり、その形態を制限することを意図していない。本発明に関する歯ブラシは実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２８】
側部印刷層６２が設けられる位置はグリップ２０の断面形状に応じて任意に変更可能である。図６および図７に示されるように、変形例の歯ブラシ１では、端２１を含むグリップ２０に側部印刷層６２が設けられる。この変形例では、側部印刷層６２は正面２０Ａのうちの端２１を含む所定範囲ＲＡ、および、背面２０Ｂのうちの端２１を含む所定範囲ＲＡの少なくとも一方に設けられる。端２１はＲ形状または角形状である。図６および図７に示される例では、端２１はＲ形状である。この変形例では、側面２０Ｃに側部印刷層６２が設けられない。
【００２９】
所定範囲ＲＡの一例はインクジェットプリンタのノズル方向から見て、端２１から０．５ｍｍ〜４．０ｍｍ離れたグリップ２０の範囲である。好ましい例では、所定範囲ＲＡは端２１から０．５〜２.０ｍｍ離れたグリップ２０の範囲である。さらに好ましい例では、所定範囲ＲＡは端２１から１.０〜２.０ｍｍ離れたグリップ２０の範囲である。好ましい例では、側部印刷層６２はグリップの幅方向ＨＢにおいて端２１に近づくにつれて印刷が薄くなるグラデーションを含む。
【００３０】
側部印刷層６２における単位面積あたりの平均インク量は主面印刷層６１における単位面積あたりの平均インク量よりも少ない。好ましい例では、主面印刷層６１における単位面積あたりの平均インク量に対する側部印刷層６２における単位面積あたりの平均インク量の割合は０〜１００％の範囲において、端２１に近づくにつれて漸減される。好ましい例では、主面印刷層６１における単位面積あたりの平均インク量に対する側部印刷層６２における単位面積あたりの平均インク量の割合は３０％〜７０％の範囲に含まれる。
【００３１】
グリップ２０が端２１を含む場合、印刷層６０を印刷する工程において端２１に着弾したインクが飛散する。このため、印刷層６０のうちの端２１を含む所定範囲ＲＡの色ムラが目立ちやすくなる。さらには、飛散したインクが歯ブラシ１のうちの印刷層６０が設けられる部分以外の部分、および、歯ブラシ１の周囲に付着するおそれもある。変形例の歯ブラシでは、側部印刷層６２における単位面積あたりの平均インク量を上記のように設定しているため、グリップ２０のうちの端２１を含む所定範囲ＲＡに印刷層６０を設ける場合であっても、端２１に着弾したインクが大きく飛散しにくい、または、飛散しない。このため、所定範囲ＲＡの色ムラが目立ちにくい。さらには、歯ブラシ１のうちの印刷層６０が設けられる部分以外の部分、および、歯ブラシ１の周囲にインクが付着することが抑制される。
【符号の説明】
【００３２】
１    ：歯ブラシ
２０  ：グリップ
２０Ａ：正面
２０Ｂ：背面
２０Ｃ：側面
２１  ：端
６０  ：印刷層
６１  ：主面印刷層
６２  ：側部印刷層
【図１】
2020000709.tif 000003
【図２】
2020000709.tif 000004
【図３】
2020000709.tif 000005
【図４】
2020000709.tif 000006
【図５】
2020000709.tif 000007
【図６】
2020000709.tif 000008
【図７】
2020000709.tif 000009
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
グリップと、
前記グリップと繋がるヘッドと、
前記ヘッドに設けられるブラシと、
前記グリップに印刷された印刷層とを備える歯ブラシであって、
前記ヘッドは前記ブラシが設けられるヘッド正面、および、前記ヘッド正面とは反対側のヘッド背面を含み、
前記グリップは前記ヘッド正面と繋がるグリップ正面、および、前記ヘッド背面と繋がるグリップ背面を含み、
前記印刷層は前記グリップの側部、および、前記グリップ背面のうちの端を含む所定範囲の少なくとも一方に印刷された側部印刷層を含み、
前記グリップ正面は前記印刷層が設けられない非印刷面として構成される
歯ブラシ。
【請求項２】
前記グリップの側面は曲面を含み、
前記側部印刷層は前記曲面に印刷された部分を含む
請求項１に記載の歯ブラシ。
【請求項３】
前記側部印刷層は前記グリップの周方向において前記グリップ背面から前記グリップの厚さ方向の中心に近づくにつれて印刷が薄くなるグラデーションを含む
請求項２に記載の歯ブラシ。
【請求項４】
前記側部印刷層は前記グリップ背面のうちの端を含む所定範囲に印刷された部分を含み、前記グリップの幅方向において前記端に近づくにつれて印刷が薄くなるグラデーションを含む
請求項１〜３のいずれか一項に記載の歯ブラシ。
【請求項５】
前記印刷層は前記グリップ背面に印刷され、前記グラデーションを含まない主面印刷層をさらに含み、
前記側部印刷層における単位面積あたりの平均インク量は前記主面印刷層における単位面積あたりの平均インク量よりも少ない
請求項３または４に記載の歯ブラシ。
【請求項６】
前記主面印刷層における単位面積あたりの平均インク量に対する前記側部印刷層における単位面積あたりの平均インク量の割合は３０％〜７０％の範囲に含まれる
請求項５に記載の歯ブラシ。